(57)【特許請求の範囲】
【請求項１】
管の挿口に外ばめされるリングに係り合う位置決めローラを用いて、前記リングを管軸方向に位置決めした状態で管の外面に押圧するに際し、リングを磁力により位置決めローラに吸着させて、これらリングと位置決めローラとを係り合わせることを特徴とする管の挿口の外周へのリングの位置決め方法。
【請求項２】
管の挿口に外ばめされるリングに係り合った状態でこのリングを管軸方向に位置決めしながら管の外面に押圧するための位置決めローラであって、磁力によりリングを吸着することでこのリングに係り合い可能とされていることを特徴とする管の挿口の外周へのリングの位置決めローラ。
【発明の詳細な説明】
【０００１】
【発明の属する技術分野】
本発明は管の挿口の外周へのリングの位置決め方法およびそのための位置決めローラに関する。
【０００２】
【従来の技術】
管継手の一種として、スリップオンタイプの管継手がある。このスリップオンタイプの管継手は、受口内周にシール材を装着し、この受口内に挿口をシール材を圧縮させながら挿入することにより、受口と挿口とを接合できるように構成されている。このようなスリップオンタイプの管継手に離脱防止機能を付与したものとして、図２に示される構成の離脱防止管継手が提案されている。
【０００３】
すなわち、図２において、互いに接合される一方の鋳鉄管１の端部には受口２が形成されており、この受口２の内周のシール材収容溝３に環状のゴム製のシール材４が配置され、シール材収容溝３よりも奥側にロックリング収容溝５が形成され、このロックリング収容溝５に周方向一つ割りのロックリング６が装着されている。ロックリング６の外周側とロックリング収容溝５の内周側との間には、ロックリング６を芯出し状態で保持するための保持用ゴム輪７が配置され、この保持用ゴム輪７はたとえばロックリング６の外周に接着されている。
【０００４】
他方の鋳鉄管８の挿口９の先端部の外周には、ロックリング６に受口奥側から係り合い可能な突部１０が形成されている。この突部１０を含む挿口９の先端の外周には、シール材４とロックリング６とが収容された受口２の内部へ挿口９を挿入するときの案内となるテーパ面１１が形成されている。
【０００５】
挿口９の突部１０を形成する際には、図４に示すように横断面矩形状の外周溝１４を有するリング１５を挿口９の外周に装着したうえで、この外周溝１４に溶接作業により溶融金属を流し込み、溝底部１６と挿口９の表面部とをともに溶かし込んだうえで冷却固化させる。図３は、このようにして溶融金属すなわち溶接ビード１７によりリング１５を挿口９に固定することで、突部１０が挿口９と一体に形成された様子を示す。
【０００６】
このようなリング１５の溶接は、次のようにして行う。すなわち、図４において、リング１５は、周方向ひとつ割りに形成されて挿口９の外周にゆるみばめされており、このリング１５を自在回転構造の位置決めローラ１８によって挿口９の外面に押圧する。この位置決めローラ１８はフランジ部１９を有し、このフランジ部１９の側面２０が挿口９の先端面２１に接するよううに構成されている。また位置決めローラ１８はリングの外周面２２に接するローラ部２３を有し、このローラ部２３には、リング１５の外周溝１４にはまり込む横断面矩形状の外周突部２４が形成されている。
【０００７】
すなわち、外周突部２４の幅は外周溝１４の幅よりもわずかに小さく形成され、したがって位置決めローラ１８のフランジ部１９の側面２０が挿口９の先端面２１に接した状態で外周突部２４が外周溝１４にはまり込んだときには、これにより挿口９とリング１５とが鋳鉄管８の軸心方向に相対移動不能となり、このため挿口９とリング１５とが軸心方向に正確に位置決めされるように構成されている。
【０００８】
したがって、図示のように位置決めローラ１８にてリング１５を押圧すると、この位置決めローラ１８のフランジ部１９の側面２０が挿口９の先端面２１に接した状態で、その外周突部２４がリング１５の外周溝１４にはまり込むことで、リング１５は、挿口９に対し軸心方向に位置決めされた状態で、ローラ部２３により挿口９の外面に押圧されて浮き上がりが防止されることになる。
【０００９】
そこで、図５に示すように、挿口９を軸心まわりにゆっくりと回転させながら、位置決めローラ１８のローラ部２３のすぐ後方で溶接トーチ２６によって外周溝１４に溶融金属２７を流し込み、上述のように溝底部１６と挿口９の表面部とをともに溶融させれば、図３に示すように、リング１５は、軸心方向に位置決めされかつ挿口９の外周面に接した状態でこの挿口９に全周にわたって溶接されることになる。
【００１０】
図３に示すように溶接ビード１７はリング１５の外方への盛り上がり部２８を有するので、リングの外周面２２を平滑にするためにこの盛り上がり部２８は削り取り加工される。
【００１１】
【発明が解決しようとする課題】
ところで、従来において、位置決めローラ１８によりリング１５を位置決め状態で挿口９の外面に押圧させる際には、図６に示すように、この位置決めローラ１８のフランジ部１９の先端を挿口９の先端面２１に接触させた状態で、挿口９の外周にゆるみばめされたリング１５の外周溝１４に人手によりローラ１８の外周突部２４を係り合わせている。しかし、位置決めを行う必要があることから、上述のように外周突部２４は外周溝１４との寸法差がほとんど無く、したがって外周突部２４と外周溝１４との係り合わせの作業性が悪く、非効率であるという問題点を有する。
【００１２】
そこで本発明は、このような問題点を解決して、管の挿口に外ばめされるリングに係り合う位置決めローラを用いて、このリングを管軸方向に位置決めした状態で管の外面に押圧するための作業を、簡単に能率良く行えるようにすることを目的とする。
【００１３】
【課題を解決するための手段】
この目的を達成するため本発明の位置決め方法は、管の挿口に外ばめされるリングに係り合う位置決めローラを用いて、前記リングを管軸方向に位置決めした状態で管の外面に押圧するに際し、リングを磁力により位置決めローラに吸着させて、これらリングと位置決めローラとを係り合わせるものである。
【００１４】
また本発明の位置決めローラは、管の挿口に外ばめされるリングに係り合った状態でこのリングを管軸方向に位置決めしながら管の外面に押圧するための位置決めローラが、磁力によりリングを吸着することでこのリングに係り合い可能とされているようにしたものである。
【００１５】
したがって本発明によれば、位置決めローラが磁力によりリングを吸着することで、これらリングと位置決めローラとがあらかじめ係り合わされることになる。したがって、位置決めローラを管に対し位置決めさせることで、同時にリングが管に対し位置決めされ、その状態でローラによりリングを管の外面に押圧させれば、リングは、位置決めされた状態でセットされることになる。
【００１６】
【発明の実施の形態】
以下、本発明の実施の形態を、図１にもとづき、図２〜図６に示したものと同一の部材には同一の参照番号を付して、詳細に説明する。位置決めローラ１８は、その自在回転軸３１を含めて、鋼材などの強磁性体にて形成されており、この自在回転軸３１の外周に沿って配置されたコイル３２に通電することで、電磁石として機能するように構成されている。リング１５は、このように電磁石として機能した位置決めローラ１８に吸着される材質、たとえばダクタイル鋳鉄などによって形成されている。
【００１７】
このような構成において、鋳鉄管８の挿口９の外周に突部を形成するときには、あらかじめコイル３２に通電することで位置決めローラ１８を電磁石として機能させる。そして、位置決めローラ１８の外周突部２４がリング１５の外周溝１４にはまり込んだ状態として、このリング１５を位置決めローラ１８に吸着させる。そして、その吸着状態の位置決めローラ１８とリング１５とを、このリング１５が挿口９にゆるく外ばめされるように管軸方向に移動させ、位置決めローラ１８のフランジ部１９を挿口９の先端面２１に接触させる。図１は、このときの状態を示す。
【００１８】
次に位置決めローラ１８を管径方向に移動させ、この位置決めローラ１８によってリング１５を位置決め状態で鋳鉄管８の挿口９の外面に押圧させる。その後は、コイル３２への通電を適宜に遮断したうえで、従来と同様に溶接作業を行う。
【００１９】
このように本発明によれば、磁力によって位置決めローラ１８にリング１５を吸着させたうえで、このリング１５を位置決め状態で鋳鉄管８のの外周に押圧させるため、このリング１５をセットする時間を短縮できるとともに、そのセッティングの失敗がなくなるなどの効果が得られる。具体的には、位置決めローラ１８にてリング１５を位置決め状態で鋳鉄管８の挿口９の外面に押圧させるまでの時間が、従来の人手に依ったものでは１５秒を要していたのに対し、本発明ではこれを１０秒で達成できることが可能であった。
【００２０】
【発明の効果】
以上のように本発明によると、リングを磁力により位置決めローラに吸着させて、これらリングと位置決めローラとを係り合わせたうえで、このリングを位置決めローラにより管軸方向に位置決めした状態で管の外面に押圧可能であるため、位置決めローラを管に対し位置決めさせるだけで、同時にリングを管に対し位置決めでき、その状態でローラによりリングを管の外面に押圧させれば、リングを、容易かつ迅速に能率良く位置決め状態でセットできる。
【図面の簡単な説明】
【図１】本発明の実施の形態の管の挿口の外周へのリングの位置決め方法を説明するための図である。
【図２】挿口リング付きの管を用いた管継手を例示する断面図である。
【図３】図２における突部を詳細に示す断面図である。
【図４】従来の位置決めローラによるリングの位置決め押圧状態を示す図である。
【図５】図４に示される部分の横断面図である。
【図６】従来のリングの位置決め方法を説明するための図である。
【符号の説明】
８    鋳鉄管
９    挿口
１４    外周面
１５    リング
１８    位置決めローラ
２４    外周突部
３２    コイル
【図１】
0003667052.tif 000002
【図２】
0003667052.tif 000003
【図３】
0003667052.tif 000004
【図４】
0003667052.tif 000005
【図５】
0003667052.tif 000006
【図６】
0003667052.tif 000007